(57)【特許請求の範囲】
【請求項１】
回路遮断器とともに使用される下部構造体（２００）であって、
底部プレート（２０２）と、
前記底部プレート（２０２）に解放可能に連結される前方ビーム（２０４）と、
前記底部プレート（２０２）に連結されるネジ付き支持体（２３６）と係合して、前記回路遮断器をスイッチギア（１００）に装架しやすくするように構成された親ネジ（２３４）と、
前記回路遮断器を前記スイッチギア（１００）に装架するのを可能にするように構成されたキーロックアセンブリ（３００）とを備え、前記キーロックアセンブリ（３００）が、
ロック（３０４）と、
インターロック（３０２）がロック位置とロック解除位置との間で移動可能であるようにして、前記ロック（３０４）に連結するように構成されたインターロック（３０２）とを備え、
前記インターロック（３０２）が前記ロック解除位置にあるとき、ラッキングハンドル（２３８）と前記親ネジ（２３４）との係合が可能になり、前記ロック（３０４）が、アーム（３２８）と、第１の位置と第２の位置との間で前記アーム（３２８）を移動させるように構成されたギア（３２６）とを備え、
前記アーム（３２８）が前記第１の位置にあるとき、前記インターロック（３０２）が前記ロック位置にあり、前記アーム（３２８）が前記第２の位置にあるとき、前記インターロック（３０２）が前記ロック解除位置にあり、
前記インターロック（３０２）が、前記インターロック（３０２）が前記ロック位置にあるとき、前記ラッキングハンドル（２３８）と前記親ネジ（２３４）との係合を妨げるように構成された第１の端部（３１２）と、第１のフック部分（３２２）を備える第２の端部（３１４）とを備え、
前記キーロックアセンブリ（３００）は、前記インターロック（３０２）が前記ロック解除位置にあるとき、前記第１のフック部分（３２２）の前記ロック位置への移動をロックする第２のフック部分（３２４）を備えるフックメカニズム（３０６）を含む、下部構造体（２００）。
【請求項２】
前記キーロックアセンブリ（３００）は、前記回路遮断器が検査位置にあり、前記キーロックアセンブリ（３００）がロックされているとき、前記回路遮断器を前記スイッチギア（１００）に装架できないようにする、請求項１記載の下部構造体（２００）。
【請求項３】
前記インターロック（３０２）が、前記アーム（３２８）を受け入れ、かつ前記アーム（３２８）を前記第１の位置と前記第２の位置との間で移動可能にするように構成されたスロット（３３０）を備える、請求項１または２記載の下部構造体（２００）。
【請求項４】
前記第１のフック部分（３２２）が第１の位置と第２の位置との間で移動可能であり、それによって、前記第１のフック部分（３２２）が前記第１の位置にあるとき、前記ラッキングハンドル（２３８）と前記親ネジ（２３４）との係合が可能になる、請求項１乃至３のいずれかに記載の下部構造体（２００）。
【請求項５】
前記フックメカニズム（３０６）が、前記前方ビーム（２０４）に連結された基部（３３２）と、前記基部（３３２）に対して移動可能に連結された前記第２のフック部分（３２４）を備える第１の端部（３３６）とを含む、請求項１乃至４のいずれかに記載の下部構造体（２００）。
【請求項６】
前記フックメカニズム（３０６）が、前記インターロック（３０２）の前記ロック解除位置に対応する第１の位置と第２の位置との間で移動可能であり、前記フックメカニズム（３０６）が、リップ部分（３４０）と前記リップ部分（３４０）に連結するように構成されたバネ（３５２）とをさらに備え、前記リップ部分（３４０）が前記第２の位置で前記フックメカニズム（３０６）の移動を停止するように構成された、請求項１乃至５のいずれかに記載の下部構造体（２００）。
【請求項７】
前記フックメカニズム（３０６）が、基部（３３２）および頂部（３３４）を含み、
前記頂部（３３４）は、第１の端部（３３６）とその反対側の第２の端部（３３８）とを含み、
前記第２のフック部分（３２４）および第１のリップ部分（３４０）が前記第１の端部（３３６）に設けれ、
前記基部（３３２）は、複数の取付けネジ（３４２）を介して前記前方ビーム（２０４）に連結され、
前記頂部（３３４）は、前記基部（３３２）に形成されたガイドスロット（３４６）を通って延在し、締結メカニズム（３４４）を介して、前記基部（３３２）に移動可能に連結され、
前記基部（３３２）は、前記第２の端部（３３８）で前記頂部（３３４）に形成されたスロット（３５０）を通って延在する第２のリップ部分（３４８）を含み、
前記フックメカニズム（３０６）がさらに、前記第１のリップ部分（３４０）および前記第２のリップ部分（３４８）と係合され、前記頂部（３３４）を前記ロック解除位置に対応する第１の位置と前記底部プレート（２０２）の検査位置に対応する第２の位置との間で移動させるバネ（３５２）を備え、前記リップ部分（３４０）が前記第２の位置で前記フックメカニズム（３０６）の移動を停止するように構成された、請求項１乃至６のいずれかに記載の下部構造体（２００）。
【請求項８】
前記インターロック（３０２）が前記ロック位置にあるとき、前記ロック（３０４）とともに使用されるキーの除去が可能になり、前記インターロック（３０２）が前記ロック解除位置にあるとき、前記キーの除去が不能になる、請求項１乃至７のいずれかに記載の下部構造体（２００）。
【請求項９】
底部プレート（２０２）と前記底部プレート（２０２）に連結される親ネジ（２３４）とを有するとともに、スリーブ（２３２）を含む下部構造体（２００）とともに使用されるキーロックアセンブリ（３００）であって、
ロック（３０４）と、
インターロック（３０２）がロック位置とロック解除位置との間で移動可能であるようにして、前記ロック（３０４）に連結し、前記インターロック（３０２）が前記ロック位置にあるとき、ラッキングハンドル（２３８）と前記親ネジ（２３４）との係合を妨げるように構成された第１の端部（３１２）と、第１のフック部分（３２２）を備える第２の端部（３１４）とを備えるように構成されたインターロック（３０２）と、
前記インターロック（３０２）が前記ロック解除位置にあるとき、ラッキングハンドル（２３８）と前記親ネジ（２３４）との係合が可能になり、前記ロック（３０４）が、アーム（３２８）と、第１の位置と第２の位置との間で前記アーム（３２８）を移動させるように構成されたギア（３２６）と、
前記インターロック（３０２）が前記ロック解除位置にあるとき、前記第１のフック部分（３２２）の前記ロック位置への移動をロックする第２のフック部分（３２４）を備えるフックメカニズム（３０６）を含む、キーロックアセンブリ（３００）。
【発明の詳細な説明】
【技術分野】
【０００１】
本明細書に記載される実施形態は、全体として電力機器に関し、より具体的には、電力機器とともに使用されるロックメカニズムに関する。
【背景技術】
【０００２】
少なくとも一部の既知の電力機器デバイスは、スイッチギアに設置するように設計されている。さらに、一部のスイッチギアは、複数の電源、または外部電源への接続と、過電流を検出し、他の電気機器が損傷しないように保護する１つもしくは複数のデバイスとを含む。一部の用途においては、バックアップ回路遮断器、測定デバイス、または保護機器などのいくつかのデバイスを、例えば、稼働させる前に主回路から切り離す必要がある。したがって、少なくともいくつかの既知のスイッチギアは、ロックアウトおよび／またはタグアウトメカニズムを含む。
【先行技術文献】
【特許文献】
【０００３】
【特許文献１】米国特許出願公開第２０１０／０２３０２５６号公報
【発明の概要】
【発明が解決しようとする課題】
【０００４】
しかし、回路遮断器用の既知のキャリッジアセンブリは、例えば、外部のロックメカニズムを使用して、キャリッジアセンブリがスイッチギア内で稼働位置へと設置または「装架（ｒａｃｋｅｄ  ｉｎ）」されるのを防ぐのが一般的である。例えば、少なくとも一部の既知の回路遮断器キャリッジアセンブリは、回路遮断器をスイッチギア内の稼働位置へと挿入するのを容易にするため、または回路遮断器をスイッチギアから検査位置へと部分的に撤回させるため、ギアシステムを使用する。回路遮断器が稼働中に装架され、電力を受け取るのを防ぐため、ギアシステムを係合するブレーキが設けられてもよい。さらに、一部の既知の回路遮断器キャリッジアセンブリは、回路遮断器が稼働中に電力を受け取るのを防ぐ、スイッチカバーなどのカバーを使用する。他の既知の回路遮断器キャリッジアセンブリは、回路遮断器が装架されるのを防ぐブロックまたはストッパーを含むことができる。しかし、ブレーキ、カバー、南京錠、および／またはブロックなどの追加部品は、運搬中または保管中に紛失もしくは破損する場合がある。さらに、これらのメカニズムはそれぞれ、回路遮断器および／またはキャリッジアセンブリの外部にあり、そのことが使用中の破損につながる場合がある。したがって、キャリッジアセンブリの内部にあり、追加の別部品を必要としないロックメカニズムを提供することが望ましい。
【課題を解決するための手段】
【０００５】
１つの態様では、回路遮断器とともに使用するために提供され、底部プレートと、親ネジを介して底部プレートに解放可能に連結される前方ビームとを含み、親ネジが、底部プレートに連結されるネジ付き支持体と係合して、回路遮断器をスイッチギアに装架しやすくするように構成された、下部構造体が提供される。下部構造体はまた、回路遮断器をスイッチギアに装架するのを可能にするように構成されたキーロックアセンブリを含む。キーロックアセンブリは、ロックと、ロックに連結するように構成されたインターロックとを含み、それによってインターロックはロック位置とロック解除位置との間で移動可能であり、インターロックがロック解除位置にあるとき、ラッキングハンドルと親ネジとの係合が可能になる。
【０００６】
別の態様では、キーロックアセンブリは、底部プレートと底部プレートに連結される親ネジとを有する下部構造体とともに使用するために提供される。キーロックアセンブリは、ロックと、ロックに連結するように構成されたインターロックとを含み、それによってインターロックはロック位置とロック解除位置との間で移動可能であり、インターロックがロック解除位置にあるとき、ラッキングハンドルと親ネジとの係合が可能になる。
【０００７】
別の態様では、スイッチギアは、電源と、電源に連結される少なくとも１つの回路遮断器とを含む。回路遮断器は、ラッキングハンドルと、ラッキングハンドルと係合して、回路遮断器をスイッチギアに装架するのを容易にするように構成された親ネジと、キーロックアセンブリとを含む。キーロックアセンブリは、ロックと、ロックに連結するように構成されたインターロックとを含み、それによってインターロックはロック位置とロック解除位置との間で移動可能であり、インターロックがロック解除位置にあるとき、ラッキングハンドルと親ネジとの係合が可能になる。
【図面の簡単な説明】
【０００８】
【図１】例示的なスイッチギアを示す図である。
【図２】図１に示されるスイッチギアとともに使用してもよい、回路遮断器のサブアセンブリとしての例示的な下部構造体を示す平面図である。
【図３】図２に示される下部構造体の側面図である。
【図４】図２および３に示される下部構造体の斜視図である。
【図５】インターロックバーがロック位置にある、図２〜４に示される下部構造体とともに使用してもよい例示的なキーロックアセンブリの平面図である。
【図６】図５に示されるキーロックアセンブリとともに使用してもよいスリーブおよびインターロックバーの拡大図である。
【図７】インターロックバーがロック解除位置にある、図５に示されるキーロックアセンブリの別の平面図である。
【図８】底部プレートが中間位置または稼働位置にある、図２〜４に示される下部構造体の別の平面図である。
【発明を実施するための形態】
【０００９】
装置の例示的実施形態は、本明細書では、回路遮断器などのデバイスがスイッチギア内に完全に係合されていないとき、デバイスに電力が加えられるのを防ぐのに使用するものとして記載される。これらの実施形態により、回路遮断器がより安全に動作することが容易になる。例えば、キーロックアセンブリは、回路遮断器が検査位置にあり、キーロックアセンブリがロックされているとき、回路遮断器をスイッチギアに挿入または「装架」できないように操作することができる。これは、回路遮断器内の電気部品が通電されるのを防ぐ。したがって、作業員または操作者が感電するリスクに晒されることが少なくなる。キーロックアセンブリはまた、回路遮断器をスイッチギアに装架できるように操作することができる。本明細書に記載されるキーロックアセンブリは、インターロックの位置を制御するキー付きロックを使用して、ロック位置とロック解除位置との間で操作することができる。インターロックは、ラッキングハンドルと親ネジとの間のインターフェースと干渉することによって、ロックに応答してラッキングハンドルの挿入を防ぐ。例えば、ロックが第１の動作で操作されると、ロックはインターロックと相互作用して、インターロックをスリーブと係合させてラッキングハンドルの挿入を妨げ、それによって回路遮断器が検査位置でスイッチギア内で固定される。回路遮断器をスイッチギア内で固定することによって、感電のリスクを低減することが容易になる。より正確には、回路遮断器を稼働させるため、操作者は、ロックを介してキーロックアセンブリをスリーブから係脱する。例えば、ロックが第２の動作で操作されると、ロックはインターロックをスリーブと係脱させ、それによってラッキングハンドルが親ネジと係合できるので、回路遮断器を稼働位置で装架することができる。これによって回路遮断器への電力が可能になるので、稼働が行われてもよい。
【００１０】
図１は、電気デバイス１０２とともに使用される例示的なスイッチギア１００を示す図である。例示的な一実施形態では、スイッチギア１００は、回路遮断器、電気的ロックアウトデバイス、分電盤、接地トラック、および／または測定ユニット（いずれも図１には図示なし）などであるがそれらに限定されない、配電機器ならびに／あるいはデバイスを含む。いくつかの実施形態では、設置および／または稼働手続きを容易にするため、デバイスはガイドレールを介してスイッチギア１００に挿入される。
【００１１】
図２は、回路遮断器または類似のデバイスのサブアセンブリであり、スイッチギア１００（図１に図示）内に設置されてもよい、例示的な下部構造体２００の平面図である。図３は、下部構造体２００の側面図である。例示的な実施形態では、下部構造体２００は、底部プレート２０２と、底部プレート２０２に解放可能に連結される前方ビームまたは筋２０４とを含む。底部プレート２０２は、底面２０６と、反対側の天面２０８と、前方壁２１０、反対側の後方壁２１２、第１の、つまり右側の側壁２１４、および反対側の第２の、つまり左側の側壁２１６を含む一連の壁とを含む。同様に、前方ビーム２０４は底面２１８と反対側の天面２２０とを含む。さらに、前方ビーム２０４は、前方壁２２２と、第１の、つまり右側の側壁２２４と、反対側の第２の、つまり左側の側壁２２６とを含む。前方ビーム２０４が底部プレート２０２に連結されると、前方ビーム２０４の後方リム（図示なし）は、底部プレートの前方壁２１０とほぼ位置合わせされるか、またはそれと接触する。さらに、前方ビーム２０４が底部プレート２０２に連結されると、前方ビームの底面２１８は、第１の側壁２１４および第２の側壁２１６に沿って位置付けられる複数のホイールによって画定される面とほぼ同じ面内に位置する。
【００１２】
複数のロックタブ２２８は、側壁２２４および２２６から延在し、スイッチギア１００の側部に形成された対応するスロットに挿入されるようにサイズ決めされる。さらに、内部ブラケット２３０は前方ビーム２０４に連結され、例えば固定的に連結され、スリーブ２３２はブラケット２３０に連結され、例えば固定的に連結される。前方ビーム２０４はまた、スリーブ２３２を通って延在するとともに、底部プレートの前方壁２１０上に固定されたナットなどのネジ付き支持体２３６と係合する親ネジ２３４を含む。スリーブ２３２は、親ネジ２３４を駆動するラッキングハンドル２３８を受け入れるようにサイズ決めされる。さらに、ラッキングハンドル２３８と親ネジ２３４との係合によって、スイッチギア１００内の底部プレート２０２の稼働位置への装架、および／またはスイッチギア１００内の底部プレート２０２の検査位置への解除（ｒａｃｋｉｎｇ  ｏｕｔ）が容易になる。検査位置では、底部プレート２０２は前方ビーム２０４に連結される。いくつかの実施形態では、ラッキングハンドル２３８はロックタブ２２８に連結される。
【００１３】
図４は、下部構造体２００の斜視図である。図４に示されるように、下部構造体２００は、底部プレート２０２の装架を可能にし、かつ不能にするキーロックアセンブリ３００を含む。キーロックアセンブリ３００は、インターロック３０２と、ロック３０４と、フックメカニズム３０６とを含む。いくつかの実施形態では、インターロック３０２はバーである。しかし、インターロック３０２は、その代わりに、カムによって駆動されるディスクとして、またはラッキングハンドル２３８と親ネジ２３４との係合を可能にし、かつ不能にする他の任意の適切なデバイスとして具体化されてもよい。例示的な実施形態では、インターロック３０２は、第１の方向３０８および第２の方向３１０で移動可能、例えば滑動的に移動可能である。より具体的には、インターロック３０２は、ロック位置とロック解除位置との間で移動可能である。例えば、インターロック３０２は、底部プレート２０２の検査位置から稼働位置への装架を容易にするため、ラッキングハンドル２３８へのアクセスを防ぐロック位置へと第１の方向３０８で移動可能である。それに加えて、インターロック３０２は、底部プレート２０２の稼働位置から検査位置への解除を容易にするため、ラッキングハンドル２３８へのアクセスを可能にするロック解除位置へと第２の方向３１０で移動可能である。
【００１４】
図５は、インターロック３０２がロック位置にあって、底部プレート２０２の稼働位置への装架を防ぐ、キーロックアセンブリ３００の平面図である。図６は、スリーブ２３２およびインターロック３０２の拡大図である。例示的な実施形態では、インターロック３０２は、第１の端部３１２と反対側の第２の端部３１４とを含む。舌部３１６が第２の端部３１２に設けられ、ラッキングハンドル２３８と親ネジ２３４との係合を防ぐため、スリーブ２３２を通って延在するスロット２４０に挿入されるようにサイズ決めされる。複数のガイドスロット３１８は、インターロック３０２を通って延在し、個々のガイドピン３２０を受け入れて、インターロック３０２を第１の方向３０８および第２の方向３１０でガイドするようにそれぞれサイズ決めされる。インターロック３０２はまた、第２の端部３１４に第１のフック部分３２２を含む。第１のフック部分３２２は、インターロック３０２の移動にしたがって第１の位置と第２の位置との間で移動する。フックメカニズム３０６は、より詳細に後述するように、インターロック３０２がロック解除位置にあるとき、第１のフック部分３２２を第１の位置でロックするように形作られた第２のフック部分３２４を含む。
【００１５】
さらに、ロック３０４は、ギア３２６とギア３２４に連結されるアーム３２８とを含む。アーム３２８は、第２の端部３１４でインターロック３０２を通って延在するアームスロット３３０を通って延在する。アーム３２８は、ユーザの動作にしたがって第１の位置と第２の位置との間で移動可能である。例えば、ユーザがキー（図示なし）をロック３０４に挿入し、キーを反時計方向に回すと、ギア３２６がアーム３２８を第１の方向３０８で移動させる（図５に図示）。アーム３２８が第１の方向３０８で移動することによって、インターロック３０２が同様に第１の方向３０８で移動して、舌部３１６がスロット２４０に挿入される。したがって、かつ図６に示されるように、インターロック３０２は第１の方向３０８でロック位置へと移動し、それがラッキングハンドル２３８と親ネジ２３４との係合を防ぎ、かつ底部プレート２０２が稼働位置へと装架されるのを防ぐ。さらに、第１のフック部分３２２は第１の位置へと移動され、第２のフック部分３２４から係脱される。同様に、ユーザがキーをロック位置から時計方向に回すと、ギア３２６がアーム３２８を第２の方向３１０で移動させる（図４に図示）。アーム３２８が第２の方向３１０で移動することによって、インターロック３０２が同様に第２の方向３１０で移動して、舌部３１６がスロット２４０から解放される。さらに、第１のフック部分３２２は第２の位置へと移動される。したがって、インターロック３０２は第２の方向３１０でロック解除位置へと移動し、それがラッキングハンドル２３８と親ネジ２３４との係合を可能にし、かつ底部プレート２０２が稼働位置へと装架されるのを可能にする。
【００１６】
図７は、ロック３０４、インターロックの第２の端部３１４、およびフックメカニズム３０６の別の平面図である。図８は、底部プレート２０２が前方ビーム２０４から解放されている、中間位置または稼働位置にある底部プレート２０２の平面図である。図７に示されるように、フックメカニズム３０６は基部３３２および頂部３３４を含む。頂部３３４は、第１の端部３３６と反対側の第２の端部３３８とを含む。第２のフック部分３２４および第１のリップ部分３４０が第１の端部３３６に設けられる。頂部３３４の第１の位置は底部プレート２０２の中間位置または稼働位置に対応し、頂部３３４の第２の位置は底部プレート２０２の検査位置に対応する。フックメカニズム３０６は、基部３３２を通って前方ビーム２０４まで延在する複数の取付けネジ３４２を介して前方ビーム２０４に連結される。頂部３３４は、基部３３２に形成されたガイドスロット３４６を通って延在する、ネジ、ピン、またはリベットなどの締結メカニズム３４４を介して、基部３３２に移動可能に連結される。基部３３２は、第２の端部３３８で頂部３３４に形成されたスロット３５０を通って延在する第２のリップ部分３４８を含む。バネ３５２は、第１のリップ部分３４０および第２のリップ部分３４８と係合されて、頂部３３４を第１の位置と第２の位置との間で移動させる。
【００１７】
第２のフック部分３２４は第１のフック部分３２２とは反対向きに向き付けられるので、インターロック３０２がロック解除位置にあり、底部プレート２０２が中間位置または稼働位置にあるとき、フックメカニズム３０６は、第１の方向３０８および第２の方向３１０（ともに図４に図示）にほぼ垂直な第３の方向３５４で移動する。より具体的には、頂部３３４は第３の方向３５４で移動する。その移動はバネ３５２によって引き起こされ、スロット３５０またはガイドスロット３４６の端部と締結メカニズム３４４との相互作用によって停止される。図８に示されるように、インターロック３０２がロック解除位置にあり、底部プレート２０２は中間位置または稼働位置にあるとき、第２のフック部分３２４は第１のフック部分３２２を係合する。具体的には、フックメカニズム３０６は第３の方向３５４で滑動し、第２のフック部分３２４は第１のフック部分３２２を係合するので、インターロック３０２は第１の方向３０８で移動できなくなる。換言すれば、ギア３２６は適所で固定され、インターロック３０２を第１の方向３０８でアーム３２８を介して移動させることができない。さらに、底部プレート２０２が検査位置にあり、インターロック３０２がロック位置にあるとき、ロック３０４で使用されるキーを除去することができる。例示的な実施形態では、インターロック３０２はキーがなければロック解除することができず、それによって底部プレート２０２を検査位置で維持し、回路遮断器が稼働状態になるのを防ぐ。
【００１８】
スイッチギアなどの装置の例示的な実施形態は、各電源に２つの回路遮断器を含み、２つのバスに接続する母線として使用する第３の回路遮断器を含む、二重電源で使用するために提供される。２つの回路遮断器は各電源を対応するバスに接続する。これらの回路遮断器は２つのキーを含むので、電源の回路遮断器の一方のみと母線の回路遮断器とを同時に稼働状態とし、他方の電源の回路遮断器は非稼働状態とすることができる。さらに、電源の回路遮断器のうち１つのインターロックがロックされていないとき、インターロックで使用されるキーを除去することはできず、残りの電源の回路遮断器を稼働状態にすることはできない。実施形態は本明細書に記載される特定の実施形態に限定されず、むしろ、方法の動作および／またはシステムの構成要素および／または装置は、本明細書に記載される他の動作および／または構成要素とは独立して別個に利用されてもよい。さらに、記載される動作および／または構成要素はまた、他のシステム、方法、および／または装置において定義されるか、あるいはそれらと組み合わせて使用されてもよく、本明細書に記載されるようなシステム、方法、および記憶媒体のみを用いた実施に限定されない。
【００１９】
本発明は例示的な電気機器環境に関連して記載しているが、本発明の実施形態は、他の多数の汎用もしくは専用の電気機器環境または構成とともに動作可能である。これらの環境は、本発明の任意の態様の使用範囲または機能性に関するいかなる限定も提示するものではない。さらに、これらの環境は、例示的な動作環境において例証される構成要素のいずれかもしくはそれらの組み合わせに関する任意の依存性または要件を有するものとして解釈すべきではない。
【００２０】
本発明またはその実施形態の態様の要素について言及する際、冠詞「ａ」、「ａｎ」、「ｔｈｅ」、および「ｓａｉｄ」は、それら要素が１つまたは複数存在することを意味するものとする。用語「備える」、「含む」、および「有する」は、包括的であって、列挙した要素以外の付加的な要素が存在してもよいことを意味するものとする。
【００２１】
本明細書は、実施例を使用して、最適な形態を含む本発明を開示し、かつあらゆるデバイスまたはシステムの作成および使用、ならびにあらゆる組み込まれた方法の実施を含めて、当業者が本発明を実施することを可能にする。本発明の特許範囲は請求項によって定義され、当業者には想起される他の実施例を含んでもよい。他のそのような実施例は、請求項の文言と異ならない構造的要素を有する場合、または請求項の文言と実質的に異ならない等価の構造的要素を含む場合、請求項の範囲内にあるものとする。
【符号の説明】
【００２２】
１００  スイッチギア
１０２  電気デバイス
２００  下部構造体
２０２  底部プレート
２０４  前方ビーム
２０６  底面（底部プレート）
２０８  天面（底部プレート）
２１０  前方壁（底部プレート）
２１２  後方壁（底部プレート）
２１４  第１の側壁（底部プレート）
２１６  第２の側壁（底部プレート）
２１８  底面（前方ビーム）
２２０  天面（前方ビーム）
２２２  前方壁（前方ビーム）
２２４  第１の側壁（前方ビーム）
２２６  第２の側壁（前方ビーム）
２２８  ロックタブ
２３０  内部ブラケット
２３２  スリーブ
２３４  親ネジ
２３６  ネジ付き支持体
２３８  ラッキングハンドル
２４０  スロット
３００  キーロックアセンブリ
３０２  インターロック
３０４  ロック
３０６  フックメカニズム
３０８  第１の方向
３１０  第２の方向
３１２  第１の端部（インターロックバー）
３１４  第２の端部（インターロックバー）
３１６  舌部
３１８  ガイドスロット
３２０  ガイドピン
３２２  第１のフック部分
３２４  第２のフック部分
３２６  ギア
３２８  アーム
３３０  アームスロット
３３２  基部（フックメカニズム）
３３４  頂部（フックメカニズム）
３３６  第１の端部（頂部）
３３８  第２の端部（頂部）
３４０  第１のリップ部分
３４２  取付けネジ
３４４  締結メカニズム
３４６  ガイドスロット（基部）
３４８  第２のリップ部分
３５０  スロット（頂部）
３５２  バネ
３５４  第３の方向
【図１】
0005897870.tif 000002
【図２】
0005897870.tif 000003
【図３】
0005897870.tif 000004
【図４】
0005897870.tif 000005
【図５】
0005897870.tif 000006
【図６】
0005897870.tif 000007
【図７】
0005897870.tif 000008
【図８】
0005897870.tif 000009